【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
測定物質（４０）を有するロータ（１）を支持するために回転軸（ＲＡ）に沿って整列されたステータ（２）と、ステータ保持部（３２）と、前記ロータ（１）の中の測定物質（４０）へＲＦパルスを放射するため、及び／又は前記ロータ（１）の中の測定物質（４０）からのＲＦ信号を受信するためのＲＦコイル構造（２１）と、を含むＭＡＳ・ＮＭＲ試料ヘッド構造（２００）において、
前記ステータ保持部（３２）は前記ステータ（２）を軸方向へ挿入可能かつ取出可能であるステータ軸受（４１）を有して形成されており、
前記ステータ（２）は挿入された状態のとき前記ＲＦコイル構造（２１）を貫いて突出し、挿入と取出のために前記ＲＦコイル構造（２１）を通して挿通可能であり、
前記試料ヘッド構造（２００）は、前記ステータ（２）が挿入された状態のときに前記ステータ（２）が前記ステータ軸受（４１）で軸方向に固定可能にする手段を含んでいることを特徴とするＭＡＳ・ＮＭＲ試料ヘッド構造（２００）。
【請求項２】
前記ステータ（２）は、第１の軸受ベース（１７）と、外装部材（１６）と、第２の軸受ベース（１８）とを含んでおり、前記外装部材（１６）は前記第１の軸受ベース（１７）と前記第２の軸受ベース（１８）とを軸方向で互いに連結し、前記第１の軸受ベース（１７）は第１の空気圧式の軸受（３）として構成され、前記第２の軸受ベース（１８）は第２の空気圧式の軸受（４）として構成され、
前記第２の軸受ベース（１８）は最大の外径ＡＤ２を有し、
前記外装部材（１６）は、前記第２の軸受ベース（１８）に軸方向で隣接して最大の外径ＡＤＶを有する前側区域（１９）を有し、
前記ＲＦコイル構造（２１）は最小の内径ＩＤＳを有し、
ＡＤ２＜ＩＤＳかつＡＤＶ＜ＩＤＳであることを特徴とする請求項１に記載の試料ヘッド構造（２００）。
【請求項３】
前記第１の軸受ベース（１７）及び／又は前記外装部材（１６）は前記第１の軸受ベース（１７）の領域において最大の外径ＡＤ１を有しており、ＡＤ１＞ＩＤＳであることを特徴とする請求項２に記載の試料ヘッド構造（２００）。
【請求項４】
前記ステータ保持部（３２）が第１のシール材（３１）を有し、これによって前記第１の軸受ベース（１７）及び／又は前記外装部材（１６）は、前記第１の軸受ベース（１７）の領域において、前記ステータ保持部（３２）に対して気密に封止されることを特徴とする請求項２又は３に記載の試料ヘッド構造（２００）。
【請求項５】
前記ステータ保持部（３２）が第２のシール材（３０）を有し、これによって前記第２の軸受ベース（１８）及び／又は前記外装部材（１６）が、前記第２の軸受ベース（１８）の領域において、前記ステータ保持部（３２）に対して気密に封止されることを特徴とする請求項２乃至４のいずれか１項に記載の試料ヘッド構造（２００）。
【請求項６】
前記外装部材（１６）が気密に構成されることを特徴とする請求項２乃至５のいずれか１項に記載の試料ヘッド構造（２００）。
【請求項７】
前記試料ヘッド構造（２００）は、前記ステータ（２）が挿入された状態のとき、前記外装部材（１６）によって一緒に区切られた気密の空間（３３）を形成して、その中に前記ＲＦコイル構造（２１）が配置されることを特徴とする請求項２乃至６のいずれか１項に記載の試料ヘッド構造（２００）。
【請求項８】
前記気密の空間（３３）は、排気されることを特徴とする請求項７に記載の試料ヘッド構造（２００）。
【請求項９】
前記ＲＦコイル構造（２１）が、前記気密の空間（３３）内で極低温の温度Ｔまで冷却され、好ましくはＴ≦１００Ｋ、さらに好ましくはＴ≦４０Ｋ又はＴ≦２０Ｋであることを特徴とする請求項７又は８に記載の試料ヘッド構造（２００）。
【請求項１０】
前記ロータ（１）を取り囲む空間（６９）が、特に前記ステータ（２）の内部において、極低温の温度ＴＲまで冷却され、好ましくはＴＲ≦１００Ｋ、特別に好ましくはＴＲ≦４０Ｋ又はＴＲ≦２０Ｋであることを特徴とする請求項７又は８に記載の試料ヘッド構造（２００）。
【請求項１１】
挿入された状態のときに前記ステータ（２）を前記ステータ軸受（４１）で軸方向に固定可能である前記手段は、固定をする位置のとき前記ステータ（２）に軸方向で後方で係合する可動又は取外し可能な固定部品（４３；５０）を含んでおり、
特に、可動又は取外し可能な前記固定部品（４３；５０）は、前記第１の軸受ベース（１７）の領域で前記ステータ（２）に作用することを特徴とする請求項１乃至１０のいずれか１項に記載の試料ヘッド構造（２００）。
【請求項１２】
挿入された状態のときに前記ステータ（２）を前記ステータ軸受（４１）で軸方向に固定可能である前記手段は、少なくとも１つの定置の固定部品（６１）を含んでおり、前記定置の固定部品（６１）は、前記ステータ（２）が挿入された状態のときに前記ステータ（２）に対して半径方向（ＲＲ）に押圧をする弾性部材（４４）を有して構成されており、
特に、シールリング（３１，３０）として構成された２つの定置の固定部品（６１）が設けられることを特徴とする請求項１乃至１１のいずれか１項に記載の試料ヘッド構造（２００）。
【請求項１３】
前記ステータ保持部（３２）は、前記ステータ保持部（３２）において前記ステータ（２）が軸方向へ最大限繰り込まれた位置を定める軸方向のストッパ（３２ｂ）を形成しており、特に、前記軸方向のストッパ（３２ｂ）は、前記第１の軸受ベース（１７）又は前記第１の軸受ベース（１７）を包囲する領域の前記外装部材（１６）によって形成される、前記ステータ（２）の肩部（４２）と協働することを特徴とする請求項１乃至１２のいずれか１項に記載の試料ヘッド構造（２００）。
【請求項１４】
前記第１の空気圧式の軸受（３）と前記第２の空気圧式の軸受（４）が、ロータ（１）を前記ステータ（２）において半径方向に支持するために構成されており、
前記第１の空気圧式の軸受（３）の領域でロータ（１）の円筒状の区域（６）に第１の軸受面（１０）を半径Ｒ１で構成するとともに、前記第２の空気圧式の軸受（４）の領域で第２の軸受面（１３）を半径Ｒ２で構成する前記ロータ（１）が前記ステータ（２）に挿入されることを特徴とする請求項２乃至１３のいずれか１項に記載の試料ヘッド構造（２００）。
【請求項１５】
前記軸受ベース（１７，１８）のうちの一方に、特に前記第２の軸受ベース（１８）に、さらに第３の空気圧式の軸受（５）が構成されており、これによって前記ステータ（２）に配置されるロータ（１）を軸方向で保持することができ、特に、前記ロータ（１）が、回転軸（ＲＡ）に対して垂直に向けられた第３の軸受面（１４）を有することを特徴とする請求項２乃至１４のいずれか１項に記載の試料ヘッド構造（２００）。
【請求項１６】
前記軸受ベース（１７，１８）のうちの他方には、特に前記第１の軸受ベース（１７）には、さらにカウンタ軸受（３５）が構成されており、これによって前記ステータ（２）に配置される前記ロータ（１）を追加的に軸方向で保持できることを特徴とする請求項１５に記載の試料ヘッド構造（２００）。
【請求項１７】
ロータ（１）に充填された測定物質（４０）をＭＡＳ・ＮＭＲ実験で測定するための、請求項１乃至１６のいずれか１項に記載の試料ヘッド構造（２００）の利用法において、前記ロータ（１）は前記ステータ（２）の中に配置されており、前記ステータ（２）は前記ステータ軸受（４１）に挿入されて固定されており、前記ロータ（１）は、回転軸（ＲＡ）を中心として回転する利用法。